(57)【要約】【課題】    モータ及びオイルパルスユニット等の動力伝達機構の冷却効率を高めて耐久性を向上させた電動工具を提供する。【解決手段】  モータ３と、モータの回転力を伝達する動力伝達機構４と、これらを収容するハウジング６を有する電動工具において、動力伝達機構又はモータを冷却するための電動ファン１７を、ハウジング６の内部（胴体部６ａ）に設け、動力伝達機構４とモータ３と電動ファン１７は、前方からこの順番で配置し、電動ファン１７はハウジング６内部の後方であって、モータ３とハウジング６の後面との間に設置した。電動ファン１７は、回転軸付近前方から吸引し、ハウジング６の側面から半径方向外側に排出するようにした。モータ３の回転軸１１はモータ３の前後に配置される２つのベアリング１０ａ、１０ｂにより保持され、モータ３の後方に配置されるベアリング１０ａは、モータ３と電動ファン１７の間に配置した。【選択図】  図１
2010120120.tif 000002
【特許請求の範囲】
【請求項１】
モータと、該モータにより回転駆動されモータの回転力を伝達する動力伝達機構と、前記モータ及び前記動力伝達機構を収容するハウジングを有し、前記動力伝達機構に取り付けられる先端工具により締結部材を締め付ける電動工具において、
前記動力伝達機構又は前記モータを冷却するための電動ファンを、ハウジングの内部に設け、
前記動力伝達機構と前記モータと前記電動ファンは、前方から、動力伝達機構、モータ、電動ファンの順番で配置され、
前記電動ファンはハウジング内部の後方、前記モータとハウジングの後面との間に設置されることを特徴とする電動工具。
【請求項２】
前記電動ファンは、回転軸付近前方から吸引し、前記ハウジングの側面から半径方向外側に排出することを特徴とする請求項１に記載の電動工具。
【請求項３】
前記モータの回転軸は前記モータの前後に配置される２つのベアリングにより保持され、前記モータの後方に配置されるベアリングは、前記モータと前記電動ファンの間に配置されることを特徴とする請求項２に記載の電動工具。
【請求項４】
前記電動ファンは吸引口、ケース、吐出口を有したブロワファンであることを特徴とする請求項３に記載の電動工具。
【請求項５】
前記電動ファンの前記ケースは、弾性体を介して前記ハウジングに設置されることを特徴とする請求項４に記載の電動工具。
【請求項６】
前記弾性体は発泡材からなることを特徴とする請求項５に記載の電動工具。
【請求項７】
前記弾性体を、前記ブロワファンの吐出口とケースの一部を囲むように設けたことを特徴とする請求項６に記載の電動工具。
【請求項８】
前記電動ファンは、前記モータの回転と非同期で駆動されることを特徴とする請求項１〜７のいずれか一項記載の電動工具。
【請求項９】
前記モータはブラシレス直流モータであり、該ブラシレス直流モータを制御するスイッチング素子を有したモータ駆動回路基板をブラシレス直流モータの後端であって、前記電動ファンとの間に配置することを特徴とする請求項１〜８のいずれか一項記載の電動工具。
【請求項１０】
前記電動ファンは、前記モータの前記回転軸には取り付けられないことを特徴とする請求項１に記載の電動工具。
【発明の詳細な説明】
【技術分野】
【０００１】
本発明は、モータにより回転駆動される電動工具に関し、特に、モータの冷却機構を改良することにより耐久性及び操作性を向上させた電動工具に関する。
【背景技術】
【０００２】
ネジやボルト等の締め付けを行う電動工具として、油圧を利用して打撃力を発生させるオイルパルス工具が知られている。オイルパルス工具は、金属同士の衝突がないため、メカニカル方式のインパクト工具に比べて、作動音が低いという特徴を有する。このようなオイルパルス工具として、例えば特許文献１の技術があり、オイルパルスユニットを駆動する動力としてモータを使用し、モータの出力軸がオイルパルスユニットに直結される。オイルパルスユニットは、使用と共に温度が上昇するため、モータとオイルパルスユニットの間（モータの前端側）にはファンを設け、ファンによってモータが冷却される。オイルパルス工具を稼働させるためのトリガスイッチを引くと、モータに駆動電流が供給される。特許文献１ではモータの回転軸と出力軸の間には減速機が設けられ、小型のモータを高回転で駆動させることで必要な出力トルクを確保し、製品の小型化を図っている。
【０００３】
【特許文献１】特開２００５−４０８８１号公報
【発明の開示】
【発明が解決しようとする課題】
【０００４】
通常の電動工具においては、モータの回転軸と出力軸の間に減速機を設け、小型のモータを高回転で駆動させることで必要な出力トルクを確保し、製品の小型化を図っている。オイルパルス工具は打撃力を発生させるために油圧を用い、回転力をある角度において急激に出力軸に取り付けた先端工具に打撃力を与える。打撃時においては、先端工具側からの反力を受けることになり、この反力は減速機の支持部に加わるために、オイルパルス工具において減速機を設けた場合、反力が大きくなり、打撃時の振動が増大する。そのため、打撃時の振動を小さくするために、モータの回転軸とオイルパルス機構の間に減速機を設けないダイレクトドライブ機構とすることが提案されている。
【０００５】
しかし、ダイレクトドライブ機構とするためには、モータを低速高トルク型にする必要があり、一般的に減速機を使用する高速低トルク型と比べ大型化してしまう。さらに低速高トルク型のモータを使用した場合、ロータを支持するベアリング部の強度を十分確保する必要がある。特に、工具を使用する際に本来の使用目的とは異なる状況（落下等）が発生した際にロータ支持部の強度が不足すると、ロータの慣性力により工具が破損してしまう可能性があり得るので、ロータの支持部が両端ともに十分な強度を確保することが必要となる。
【０００６】
オイルパルス機構において打撃後には、先端工具側からの半力の作用によりオイルパルユニット回転数が低くなるが、ダイレクトドライブ機構のブラシレス直流モータにおいては、減速機がないためモータ回転数も低くなる。ブラシレス直流モータを用いた場合、反力によってモータの回転数が低くなると、駆動回路に大きな電流が発生してスイッチング素子が異常に温度上昇する場合があり得る。
【０００７】
本発明は上記背景に鑑みてなされたもので、その目的はモータ及びオイルパルスユニット等の動力伝達機構の冷却効率を高めて耐久性を向上させた電動工具を提供することにある。
【０００８】
本発明の別の目的は、モータの回転とは非同期にファンを駆動させることによって、モータが停止した場合であっても冷却効率を維持できる電動工具を提供することにある。
【課題を解決するための手段】
【０００９】
本願において開示される発明のうち、代表的なものの特徴を説明すれば、次の通りである。
【００１０】
本発明の一つの特徴によれば、モータと、モータにより回転駆動されモータの回転力を伝達する動力伝達機構と、モータ及び動力伝達機構を収容するハウジングを有し、動力伝達機構に取り付けられる先端工具により締結部材を締め付ける電動工具において、動力伝達機構又はモータを冷却するための電動ファンを、ハウジングの内部に設け、動力伝達機構とモータと電動ファンは、ハウジングの長手方向前方から、動力伝達機構、モータ、電動ファンの順番で配置し、電動ファンはハウジング内部の後方、モータとハウジングの後面との間に設置するように構成した。電動ファンは、回転軸付近前方から吸引し、ハウジングの側面から半径方向外側に排出するように構成すると好ましい。モータの回転軸はモータの前後に配置される２つのベアリングにより保持され、後方側に配置されるベアリングは、モータと電動ファンの間に配置されるようにした。
【００１１】
本発明の別の特徴によれば、電動ファンは吸引口、ケース、吐出口を有したブロワファンである。電動ファンのケースは、弾性体を介してハウジングに設置される。弾性体は発泡材から構成すれば好ましく、弾性体をブロワファンの吐出口とケースの一部を囲むように設けると好ましい。
【００１２】
本発明のさらに別の特徴によれば、電動ファンは、モータの回転と非同期で駆動されるように構成した。モータはブラシレス直流モータであり、ブラシレス直流モータを制御するスイッチング素子を有したモータ駆動回路基板をブラシレス直流モータの後端であって、電動ファンとの間に配置した。ハウジングには、胴体部の動力伝達機構を収納する部分から、下方に延在するようにハンドル部が形成される。
【発明の効果】
【００１３】
請求項１の発明によれば、動力伝達機構とモータと電動ファンは、前方から動力伝達機構、モータ、電動ファンの順番で配置されるので、効率的に冷却ができる。また、電動ファンはモータとハウジングの後面との間に設けられるので、モータに対する冷却を効率的に行うことができる。
【００１４】
請求項２の発明によれば、電動ファンは、回転軸付近前方から吸引し、ハウジングの側面から半径方向外側に排出するので、ファンによる冷却効果を効率的にすることができる。
【００１５】
請求項３の発明によれば、モータの回転軸はモータの前後に配置される２つのベアリングにより保持され、モータの後方に配置されるベアリングは、モータと電動ファンの間に配置されるので、２つのベアリングの間隔が短くて済み、ベアリングも比較的小さめのもので実現することができる。
【００１６】
請求項４の発明によれば、電動ファンは吸引口、ケース、吐出口を有したブロワファンであるので、軸流ファンに比べて冷却効果を高くすることができる。
【００１７】
請求項５の発明によれば、電動ファンのケースは、弾性体を介して前記ハウジングに設置されるので、電動ファンを振動から保護することができる。
【００１８】
請求項６の発明によれば、弾性体は発泡材からなるので電動ファンを振動から保護できると共に、電動ファンとハウジングの間を良好にシールすることができる。
【００１９】
請求項７の発明によれば、弾性体を、ブロワファンの吐出口とケースの一部を囲むように設けたので、ブロワファンの吐出側と吸入側の気密を保つことができ、空気がブロワファンの外部を通って漏れることを防止できる。
【００２０】
請求項８の発明によれば、電動ファンは、モータの回転と非同期で駆動されるので、モータが停止している状態においても、電動ファンを駆動することが可能であり、モータを効果的に冷却することができる。
【００２１】
請求項９の発明によれば、モータはブラシレス直流モータであり、ブラシレス直流モータを制御するスイッチング素子を有したモータ駆動回路基板をブラシレス直流モータの後端であって、電動ファンとの間に配置したので、電動ファンによってモータとインバータ回路基板の両方を効果的に冷却することができる。
【００２２】
請求項１０の発明によれば、電動ファンは、モータの回転軸には取り付けられないのでモータの回転には影響されずに、電動ファンを独立して制御することができ、電動ファンが消費する電力を節約することができる。
【００２３】
本発明の上記及び他の目的ならびに新規な特徴は、以下の明細書の記載及び図面から明らかになるであろう。
【発明を実施するための最良の形態】
【００２４】
以下、本発明の実施形態を図面を用いて説明する。尚、本明細書の説明においては電動工具の例としてオイルパルス工具を用いて説明し、その上下及び前後の方向は、図１中に示した方向として説明する。
【００２５】
図１は本発明の実施形態に係るオイルパルス工具の全体を示す断面図である。オイルパルス工具１は、外部から電源コード２により供給される電力を利用し、モータ３を駆動源とし、モータ３によって動力伝達機構であるオイルパルスユニット４を駆動し、オイルパルスユニット４に連結された出力軸５に回転力と打撃力を与えることによってソケットビット等の図示しない先端工具に回転打撃力を連続的又は間欠的に伝達させてネジ締めやボルト締め等の作業を行う。
【００２６】
電源コード２により供給される電源は、直流電源又はＡＣ１００Ｖ等の交流電源であり、交流の場合はオイルパルス工具１内に図示しない整流器を設けて直流に変換した後に、モータの駆動用回路に送られる。モータ３は、内周側に永久磁石を有する回転子３ｂを有し、外周側に鉄心３ａに巻かれた巻線３ｃを有する固定子を有するブラシレス直流モータであって、２つのベアリング１０ａ、１０ｂによってその回転軸１１が回転可能なように支持される。前方のベアリング１０ｂは大きな径のベアリングであり、インナプレート３２を介してハウジング６の筒状の胴体部６ａ内に固定される。後方のベアリング１０ａは、前方のベアリング１０ｂに比べて小さい径のベアリングであり、胴体部６ａと一体に形成されたベアリングホルダ１５に固定される。ハウジング６はプラスチック等の成型により胴体部６ａとハンドル部６ｂが一体的に製造される。
【００２７】
モータ３の後方には、モータ３を駆動するための駆動回路基板７が配設され、この回路基板上にはＦＥＴ（Ｆｉｅｌｄ  ｅｆｆｅｃｔ  ｔｒａｎｓｉｓｔｏｒ）などのスイッチング素子７ａにより構成されるインバータ回路及び回転子３ｂの回転位置を検出するためのホールＩＣなどの位置検出素子が搭載される。胴体部６ａの内側後端付近には、冷却用の冷却ファンユニット１７が設けられる。冷却ファンユニット１７は、モータ３とは独立して回転する電動式であり、前方の軸付近から吸引して円周方向の一方向に排出させる遠心ファンを用いることができ、小型の直流モータにより駆動される。
【００２８】
ハウジング６は、胴体部６ａから略直角に下方向に延びるハンドル部６ｂを有し、ハンドル部６ｂの取り付け部付近にはトリガスイッチ８が配設される。ハンドル部６ｂの内部にはスイッチ回路基板１４が設けられ、トリガスイッチ８を引いた量に比例する信号がモータ制御基板９ａに伝達される。ハンドル部６ｂの下側には、複数の回路基板９が配置され、これにはモータ制御基板９ａ及び冷却ファン用の電源回路基板９ｂが含まれる。
【００２９】
胴体部６ａ内の前方側に収容されるオイルパルスユニット４は、入力軸であるライナプレート２３がモータ３の回転軸１１に直結され、モータ３の回転が減速されずに直接伝達される。そのため、ベアリング１０ｂの内側において、ライナプレート２３の連結部２３ａが回転軸１１の先端に形成された六角穴１１ｆに嵌合する。このようにライナプレート２３と回転軸１１の連結部分が、インナプレート３２と軸方向の同位置に配置されることにより、連結部分の剛性を高めることが可能になる。
【００３０】
トリガスイッチ８が引かれてモータ３が起動されると、モータ３の回転はオイルパルスユニット４に伝達される。オイルパルスユニット４の内部にはオイルが充填されていて、出力軸５に負荷がかかっていないとき、又は、負荷が小さい際には、オイルの抵抗のみでモータ３の回転にほぼ同期して出力軸５が回転する。出力軸５に強い負荷がかかると出力軸５の回転が止まり、オイルパルスユニット４の外周側のライナのみが回転を続け、１回転に１箇所、オイルの圧力が急激に上昇し、出力軸５に大きな締付トルク（打撃力）が作用し、出力軸５を大きな力で回転させる。以後、同様の衝撃動作が数回繰り返され、締結対象が設定トルクで締め付けられるまで打撃力が間欠的に繰り返し伝達される。
【００３１】
図２（１）は、図１のオイルパルスユニット４の断面図であり、図３は図２のＣ−Ｃ断面であって、オイルパルスユニット４の使用状態における一回転の動きを８段階で示した断面図である。オイルパルスユニット４は、主に、モータ３と同期して回転する駆動部分と、先端工具が取り付けられる出力軸５と同期して回転する出力部分の２つの部分により構成される。モータ３と同期して回転する駆動部分は、モータ３の回転軸に直結されるライナプレート２３と、その外周側で前方に延びるように固定される外径が略円柱形のライナ２１と、ライナ２１の前方内周側に固定されるローワプレート２６を含んで構成される。出力軸５と同期して回転する出力部分は、メインシャフト２４と、メインシャフト２４にバネを介して取付けられるブレード２５ａ、２５ｂ（図３）を含んで構成される。
【００３２】
メインシャフト２４はローワプレート２６を貫通し、ライナ２１内で回転できるように保持され、ライナ２１とメインシャフト２４の間には、トルクを発生するための作動油（オイル）を充填してライナ２１の両端に取り付けたライナプレート２３とローワプレート２６によってオイルは密封される。ローワプレート２６とメインシャフト２４、及び、ライナ２１とライナプレート２８の間には、相互間の気密性を確保するためのＯリング２７、２８が設けられる。なお、ライナ２１にはオイルの圧力を高圧室から低圧室に逃がすリリーフバルブ２２があり、発生するオイルの最大圧力を制御し、締め付けトルクを調整することができる。
【００３３】
ライナ２１の内部は図３に示すような略４つの領域を形成するような断面を有するライナ室が形成される。メインシャフト２４の外周部には、対向する２個の溝部にバネを介してブレード２５ａ、２５ｂが嵌挿され、ブレード２５ａ、２５ｂがライナ２１の内面に当接するようにバネによって円周方向に付勢される。ブレード２５ａ、２５ｂ間のメインシャフト２４の外周面には軸方向に延びる二本の突条たる凸状シール面２６ａ、２６ｂが設けられる。ライナ２１の内周面には山形状に盛り上げて成る凸状シール面２７ａ、２７ｂと、凸状部２８ａ、２８ｂが形成される。
【００３４】
オイルパルス工具１はボルト締め付け時において締め付けボルトの座面が着座すると、メインシャフト２４に負荷がかかり、メインシャフト２４、ブレード２５ａ、２５ｂはほぼ停止した状態になり、ライナ２１だけ回転し続ける。モータ３の回転によるライナ２１の回転に伴い、１回転に１回の衝撃パルスが発生するが、この衝撃パルス発生時においてオイルパルス工具１内は、ライナ２１の内周面に形成した凸状シール面２７ａとメインシャフト２４の外周面に形成した凸状シール面２６ａが接触する。同時に、ライナ２１の内周面に形成した凸状シール面２７ｂとメインシャフト２４の外周面に形成した凸状シール面２６ｂと接触する。このようにライナ２１の内周面に形成した一対の凸状シール面と、メインシャフト２４の外周面に形成した一対の凸状シール面がそれぞれ当接することにより、ライナ２１の内部は二つの高圧室Ｈと２つの低圧室Ｌに仕切られる。そして、前記高圧室Ｈと低圧室Ｌとの圧力差によりメインシャフト２４が締め付けボルトを締め付けるべく回転する。
【００３５】
次に、オイルパルスユニット４の動作手順を説明する。まず、トリガ８を引くことによりモータ３が回転され、これに伴いライナ２１も同期して回転する。図３の（１）〜（８）は、ライナ２１がメインシャフト２４に対して相対角で１回転する状態を示した図である。前述したように、出力軸５に負荷のかかっていないとき、又は、負荷が小さい時には、オイルの抵抗のみでメインシャフト２４はモータ３の回転にほぼ同期して回転する。出力軸５に強い負荷がかかるとそれに直結されたメインシャフト２４の回転が止まり、外側のライナ２１のみが回転を続ける。
【００３６】
図３の（１）は、メインシャフト２４に衝撃パルスによる打撃力が発生するときの位置関係を示す図である。この（１）に示す位置が、１回転に１箇所あるオイルを密閉する位置である。ここでは、凸状シール面２７ａと２６ａが、シール面２７ｂとシール面２６ｂが、ブレード２５ａと凸状部２８ａが、ブレード２５ｂと凸状部２８ｂがそれぞれメインシャフト２４の軸方向全域において当接し、これによりライナ２１の内部空間が２つの高圧室と２つの低圧室の４室に区画される。
【００３７】
ここで高圧、低圧とは、内部に存在するオイルの圧力である。さらにモータ３の回転によってライナ２１が回転すると、高圧室の容積は減少するためオイルは圧縮されて瞬間的に高圧が発生し、この高圧はブレード５を低圧室側に押しやる。その結果、メインシャフト２４には上下のブレード２５ａ、２５ｂを介して瞬間的に力が作用して強力なトルクが発生する。この高圧室が形成されることにより、ブレード２５ａ、２５ｂを図中時計方向に回転させるような強い打撃力が作用する。図３（１）に示す位置を本明細書では「打撃位置」と呼ぶ。
【００３８】
図３の（２）は、打撃位置からライナ２１が４５度回転した状態を示す。（１）に示す打撃位置を過ぎると、凸状シール面２７ａと２６ａ、凸状シール面２７ｂとシール面２６ｂ、ブレード２５ａと凸状部２８ａ、及び、ブレード２５ｂと凸状部２８ｂの当接状態が解除されるため、ライナ２１の内部の４室に区画されていた空間が解除され、相互の空間にオイルが流れるため、トルクは発生せず、ライナ２１はモータ３の回転によりさらに回転する。
【００３９】
図３の（３）は、打撃位置からライナ２１が９０度回転した状態を示す。この状態では、ブレード２５ａ、２５ｂが凸状シール面２７ａ、２７ｂに当接してメインシャフト２４から突出しない位置、半径方向内側まで後退するため、オイルの圧力の影響を受けずトルクは発生しないため、ライナ２１はそのまま回転する。図３の（４）は、打撃位置からライナ２１が１３５度回転した状態を示す。この状態ではライナ２１の内部空間は連通してオイルの圧力変化は生じないため、メインシャフトに回転トルクは発生しない。
【００４０】
図３の（５）は、打撃位置からライナ２１が１８０度回転した状態を示す。この位置では、凸状シール面２７ｂと２６ａ、凸状シール面２７ｂとシール面２６ｂが接近するが、当接しない。これは、メインシャフト２４に形成した凸状シール面２６ａと２６ｂが、メインシャフトの軸に対して対称位置にないためである。同様にライナ２１の内周に形成した凸状シール面２７ａと２７ｂもメインシャフトの軸に対して対称位置にはない。従って、この位置ではオイルの影響をほとんど受けないためトルクはほとんど発生しない。尚、発生するトルクがゼロではないのは、内部に充填されるオイルには粘性があり、凸状シール面２７ｂと２６ａ、又は、凸状シール面２７ａと２６ｂが対面した際に、ほんの僅かながら高圧室が形成されるため、（２）〜（４）、（６）〜（８）と違って若干の回転トルクを生じさせる。
【００４１】
図３の（６）〜（８）の状態は、（２）〜（４）とほぼ同様であり、これらの状態の際はトルクが発生しない。（８）の状態からさらに回転すると、図３の（１）の状態に戻り、凸状シール面２７ａと２６ａが、シール面２７ｂとシール面２６ｂが、ブレード２５ａと凸状部２８ａが、ブレード２５ｂと凸状部２８ｂがそれぞれメインシャフト２４の軸方向全域において当接し、これによりライナ２１の内部空間が２つの高圧室と２つの低圧室の４室に区画されるため、メインシャフト２４に強い回転トルクが発生する。
【００４２】
上記のように締付作業時には粘性のあるオイルに対し加圧、減圧を繰り返すためオイルが発熱する。また、モータ３も打撃時には回転が制御され、場合によっては回転が停止（ロック）したり、わずかながら逆転してしまうため、モータ３のインバータ回路や固定子巻線には過多な電流が流れ巻線３ｃ及びスイッチング素子７ａが発熱する。この発熱対策として、図１に示すように冷却ファンユニット１７が設けられる。
【００４３】
図１に戻り、冷却ファンユニット１７及びモータ３、オイルパルスユニット４はハウジング６の胴体部６ａ内に収められており、メインシャフト５の回転軸方向と略平行にオイルパルスユニット４、モータ３、冷却ファンユニット１７の順番で設置される。厳密に言えば、オイルパルスユニット４とモータ３は同軸上に配置するのが好ましいが、冷却ファンユニット１７は、これらと完全に同軸上でなくてもよく、その中心軸がややずれても良いし、冷却ファンユニットの回転軸をモータ３の回転軸１１と角度を隔てて配置しても良い。
【００４４】
オイルパルスユニット４内のオイルは、熱による特性変化が大きく最も冷却する必要があるため、導入された外気をこの順番にて冷却すると効率がよい。従って、本実施形態においては、胴体部６ａのオイルパルスユニット４が設けられる部分の側方に複数の空気取入口３１を形成し、冷却ファンユニット１７を駆動させることで、空気取入口３１を経由して外部から大気が吸引されるようにした。図１では一本しか図示していないが、空気取入口３１は、胴体部６ａの右側に４本、左側に４本の計８本のスリット状の空気取入口３１として、その長手方向が出力軸５と略並行になるように形成される。尚、空気取入口３１の形状は比較的自由度が高く、スリットの向きを胴体部６ａの円周方向としても良いし、その他任意の形状であっても良い。
【００４５】
空気取入口３１から導入された外気は、オイルパルスユニット４を冷却した後にインナプレート３２の通風口３２ｄを通過し、モータ３側に流れる。モータ３においては、回転子３ｄ、鉄心３ａ、巻線３ｃの間の空間を流れて後方に流れ、モータ３の後方に軸方向と鉛直に設けられた駆動回路基板７の搭載電子素子を冷却する。その後、冷却ファンユニット１７内の軸付近から吸引され、ファンによって吐出口１７ａから円周方向に排出され、胴体部６ａに形成された後述する空気排出口を通過しハウジング６の外部へ排出される。
【００４６】
本実施形態においてはダイレクトドライブ機構のブラシレスモータとしたことで、打撃時のモータ３の回転数が低くなるため、巻線３ｃに大きな電流が流れるためスイッチング素子７ａの温度が上昇しやすい。従って、駆動回路基板７を冷却ファンユニット１７の近傍、即ちモータ３の後ろ側に設けることで、冷却風のスイッチング素子７ａ近傍の量が増加し、冷却効率を向上することが可能となり、電動工具の耐久性が向上する。
【００４７】
冷却ファンユニット１７はモータ３の駆動とは別体に駆動される。これによりモータ３の回転が停止した場合においても発熱したオイルパルスユニット４及びモータ３を冷却することが可能となる。冷却ファンユニット１７はハウジング６の胴体部６a内に弾性体３０を介して設置される。これにより、打撃時にパルスユニット部４が引き起こす振動が冷却ファンユニット１７へ伝わることを抑制し、冷却ファンユニット１７の破損を防止する。さらに冷却ファンユニット１７の駆動時においては回転振動に伴う騒音が発生するが、冷却ファンユニット１７はハウジング６の胴体部６a内に弾性体３０を介して設置されるため、振動音を抑制することが可能となる。弾性体３０は発泡材とすることで、制震効果を高くしつつ軽量化が可能となる。
【００４８】
モータの回転子３ｂは回転軸１１に設けられる。図２（２）は図１の回転軸１１を拡大表示したもので、回転軸１１はオイルパルスユニット４と結合される側でベアリング１０ｂにより支持される。ベアリング１０ｂは、ベアリング１０ａよりも大径のものが用いられ、ベアリング１０ａが取り付けられる部分は、その径が軸径部１１ｂよりやや細くなっている細径部１１ａであり、ベアリング１０ｂが取り付けられる部分は、その径が軸径部１１ｂよりやや太くなっている太径部１１ｃである。太径部１１ｃの一部には、その径が半径方向外側に延びるフランジ１１ｄが形成され、ベアリング１０ｂは、回転軸１１の前側軸端部から太径部１１ｃに挿入され、その内輪の後端がフランジ１１ｄと当接するよう位置づけられる。そして、トメワ３５が円環溝１１ｅに装着されることにより、ベアリング１０ｂを回転軸１１に対して固定する。
【００４９】
ベアリング１０ｂの外輪側にはインナプレート３２が装着され、外輪の前側の端部がフランジ３２ｃに当接するように位置づけられ、プレート３３をネジ３４で螺合させることにより、ベアリング１０ｂをインナプレート３２に固定する。インナプレート３２は、ベアリング１０ｂとほぼ同じ厚さを有するプレート状の部材であり、例えばアルミニウム合金やステンレス合金などの金属製で構成すると好ましい。また、ベアリング１０ｂの内輪と外輪の両方側において、ベアリング１０ｂがインナプレート３２に対して軸方向（前後方向）に移動しないように抜け止めを設ける。このようにベアリング１０ｂに比較的大径のものを用いてしっかり保持することにより、落下等の工具を使用する際に本来の状況とは異なる条件下において、工具本体後方或いは前方から工具の回転軸側に急激な荷重が生じた場合でも、オイルパルスユニット４とロータ３ｂの慣性力による荷重は、主にベアリング１０ｂが受けることとなるので、ベアリング１０ａの固定部の強度は回転動作中にかかる荷重にのみ耐えうれば良くなる。そのため、ベアリング１０ａの支持部（ベアリングホルダ１５）の肉厚等を小さくする事が可能となり、工具を小型化する事が可能となる。さらに、ベアリング１０ａやベアリングホルダ１５を小型にできるため、モータ３の後端部を流れる冷却風の通過面積を多く取る事が可能となり、冷却風量が増加することができ、冷却性能が向上する。
【００５０】
図４は冷却ファンユニット１７と弾性体３０を示す斜視図である。冷却ファンユニット１７は軸方向に空気を吸引するための吸引口１７ｃが設けられ、回転するファンを収容すると共に吸引及び排出する空気を所望の方向に導くためのファンハウジング１７ｂ、空気を一方向に排出するための吐出口１７ａを有した汎用ブロワファンである。弾性体３０は冷却ファンユニット１７に接着剤や両面テープ等で貼り付けられ、これらは冷却ファンユニット１７をハウジング６の内壁に固定するための接着機能と共に、冷却ファンユニット１７に伝わる振動を低減させる制震機能を果たす。さらに、弾性体３０ａは、吐出口１７ａを吸入口１７ｃ側の空間と遮断するためのシール機能を果たす。
【００５１】
図５は図１のＡ−Ａ部の断面図であり、冷却ファンユニット１７をハウジング６の胴体部６の内部に設置した際の状況を示す。冷却ファンユニット１７は、その吐出口１７ａがハウジング６の胴体部６ａに形成された空気排出口３７に対向するように固定される。冷却ファンユニット１７には、取り付け用の取付穴１７ｄを有するが、冷却ファンユニット１７はハウジング６の後端部の囲まれた空間内に配置されるので、ネジによって強固に固定せずに両面テープ等のシール材を用いて固定するので十分である。但し、ネジを併用して固定するようにしても良いのは言うまでもない。
【００５２】
吐出口１７ａと空気排出口３７の間にはバッファ領域３３が設けられる。これにより、吐出口１７ａよりも空気排出口３７の断面積を大きくする事が可能となり、空気排出口３７に複数のリブ等を設け異物流入の防止を行った場合でも、空気排出口３７における流出損失を低減させる事が可能となる。さらに、吐出口１７ａとファンハウジング１７ｂの一部を囲うようにシール状の弾性体３０ａを設けることで、弾性体３０ａによる冷却ファンユニット１７の保持と同時に、吐出口１７ａからバッファ領域３３へ流入した冷却風がモータ３側へ逆流することができる。
【００５３】
図６は、冷却ファンユニット１７が取り付けられるハウジング６の胴体部６ａの後端部右側の内部形状を示す部分斜視図である。ここで、ハウジング６は軸方向を通る上下に延びる面で２分割でき、右側とは作業者が右手でオイルパルス工具を把持した際に、作業者からみて右側に位置する側を示す。胴体部６ａの後端部には、ベアリング１０ａを保持する固定部となるベアリングホルダ１５が一体で成型され、その後方には冷却ファンユニット１７を固定すると共に、冷却ファンユニット１７の吐出口１７側の空間（バッファ領域３３）と分離するためのリブ１６が形成される。リブの後方には４本の上下方向に延びるスリット状の空気排出口３７が形成される。ベアリングホルダ１５の上下側には、左側のハウジング６とネジ止めするための２つのネジ穴１３が形成される。図示していないが、胴体部６ａの後端部左側の内部形状は、リブ１６及び空気排出口３７は形成されず、ネジ穴１３とベアリングホルダ１５が形成されることになる。
【００５４】
尚、図６において、ハウジング６の後端面には開口が存在しないことが理解できるであろう。これは、冷却ファンユニット１７として吐出側が後方でなく、側方になるブロワファンを用いたためであり、別のタイプの冷却ファンを用いるならばハウジング６の後端面に空気排出口を設けるようにしても良い。
【００５５】
次に図７〜９を用いて、インナプレート３２の形状と、それを通過する冷却風の流れについて説明する。図７は図１におけるＣ−Ｃ断面図である。インナプレート３２は円環状の内周輪３２ａ及び外周輪３２ｂの間を接続する複数の支柱３２ｃにより構成され、これらによって冷却風を通過させる複数の通風口３２ｄが形成される。ここで、図から理解できるように支柱３２ｃの円周方向の数及びその位置は、モータ３の巻線３ｃ間の隙間の位置と一致するようにした。従って、通風口３２ｄはモータ３の巻線３ｃと対向する位置に配置されるので、通風口３２ｄを介してオイルパルスユニット４側からモータ３側に流れる空気は、かならず巻線３ｃに当たることになる。さらに、径方向において、インナプレートの内周輪３２ａと外周輪３２ｂの位置は、モータ３の巻線３ｃの内周側及び外周側位置とそれぞれほぼ一致するように設定している。
【００５６】
図８は図１のＢ−Ｂ部におけるモータ３の固定子部分の断面図であり、モータ３の固定子３ｂ部の断面図である。固定子は鉄心３aに巻線３ｃを巻きつけており、巻線３ｃ間にはスロット（巻線隙間）３ｄが設けられる。この図から理解できるように、本実施形態では、モータ３の巻線は外周部において密に巻かれており、内周部の巻数が少なくなるようにされている。
【００５７】
図９は図７のＤ−Ｄ部の断面図であり、インナプレート３２とブラシレスモータ固定子部の位置関係を示し、インナプレート３２から固定子へ流入する空気の流れを示した部分断面図である。本図からインナプレート３２の支柱３２ｃとスロット３ｄの位置関係がよく理解できるであろう。図９に示すように、空気取入口３１から取り入れられた冷却風は通風口３２ｄを通過し、胴体部６ａのモータ３が配置される空間に流入し、モータ３の巻線３ｃの前方部を通過してスロット３ｄへと流れていく。モータ３としてブラシレスモータを用いる場合は、巻線３ｃの発熱が大きいため、冷却風を巻線３ｃの前方部を通過させることで、効率良く冷却することが可能となる。
【００５８】
図１０は、図７及び８で示した実施形態の変形例である。本変形例では、インナプレート４２に形成される支柱４２ｃの数を３つにし、６つのスロット３ｄに対して半分にした。このようにモータ３のスロット３ｄの数とインナプレート３２の通風口３２ｄの数を一致させずとも、冷却効率を向上させることが可能となる。しかし、図７に示すようにモータ３のスロット３ｄの数とインナプレート３２の通風口３２ｄの数を一致させた場合が、最も冷却効率を向上させることが可能となる。また、図１０においては、インナプレート４２の通風口４２ｄの内径、つまり内周輪４２ａを回転子３ｂの外径よりも僅かながら大きく設定している。これにより、通風口４２ｄを通過する冷却風は回転子３ｂの巻線３ｃの外周側にあたりやすくなっており、さらなる冷却効率の向上が可能となる。
【００５９】
図１１は、本実施形態におけるオイルパルスユニット４とハンドル部の配置関係を説明するための図である。オイルパルス機構は低騒音な打撃機構であり、打撃時の振動は小さいものの、打撃時の反力（変位）は大きくなってしまう。反動は打撃源を中心に円弧運動となるため、打撃源から遠くなるほど反動が大きくなる。本発明において、オイルパルスユニット４とハンドル部６ａを前後方向に近接させることで、把持部が打撃源に近くなり、把持位置での反動が小さくなる。具体的には、オイルパルスユニット４の前端部がハウジング６の胴体部６ａの前端部と隣接するオイルパルス工具において、ハウジング６のハンドル部６ｂはオイルパルスユニット４の略真下に設けられる。従って、ハンドル部６ｂの長手方向中心線５２を延長した線と、出力軸５の中心軸と交差する交差点５３は、出力軸５の軸方向（前後方向）に見て、オイルパルスユニット４の配置位置５１内に存在するようにした。また、オイルパルスユニット４の後端位置と、ハンドル部前側の最も後退した位置を比較すると、矢印の範囲５４で示すようにオイルパルスユニット４の後端位置の方が後ろになるように配置した。このように構成すれば、出力軸５にソケット等の先端工具を取り付けた場合においては工具全体の重心位置がハンドル近傍となるため、作業時のバランスが良く、操作性がよくなるといった利点が得られる。
【００６０】
以上説明したように、本実施形態による電動工具では、安価な汎用の冷却ファンを用いて高効率にモータ及び動力伝達機構（オイルパルスユニット）を冷却することが可能となるので耐久性を向上させることができる。また、モータの回転とは非同期にファンを駆動させることによって、モータのスイッチング素子部の冷却効率をも向上させることができる。さらに、ロータを支持するベアリング部の強度を向上させることができる電動工具を実現できる。
【００６１】
以上、本発明を示す実施形態に基づき説明したが、本発明は上述の形態に限定されるものではなく、その趣旨を逸脱しない範囲内で種々の変更が可能である。例えば、本実施形態では電動工具の例として、ブラシレス直流モータを用いたオイルパルス工具の例で説明したがこれに限られるものではなく、電動ドリル、電動グライダ等、任意の電動工具においても同様に適用できる。また、使用するモータの種類も、ブラシレス直流モータだけでなく、ブラシ付きのＤＣモータでも、交流モータでも良い。
【図面の簡単な説明】
【００６２】
【図１】本発明の実施形態に係るオイルパルス工具の全体を示す断面図である。
【図２】（１）は図１のオイルパルスユニット４の拡大断面図であり、（２）は図１の回転軸１１の拡大断面図である。
【図３】オイルパルスユニット４の軸方向と鉛直面での断面図であって、オイルパルスユニット４の使用状態における一回転の動きを８段階で示した図である。
【図４】図１の冷却ファンユニット１７の前方から見た斜視図である。
【図５】図１の図１のＡ−Ａ部の断面図であり、冷却ファンユニット１７を後方から見た背面図である。
【図６】ハウジング６の胴体部６ａの後端部右側の内部形状を示す部分斜視図である。
【図７】図１のＣ−Ｃ部の断面図であって、インナプレート３２とモータ３の巻線３ｃとの位置関係を示す図である。
【図８】図１のＢ−Ｂ部におけるモータ３の固定子部分の断面図である。
【図９】図７のＤ−Ｄ部の断面図であって、インナプレート３２とモータ３の巻線３ｃとの位置関係、及び、インナプレート３２から巻線３ｃ方向へ流入する空気の流れを示す図である。
【図１０】本発明の第２の実施形態に係るインナプレート４２を示す図で、図１のＣ−Ｃ部の断面における形状を示す図である。
【図１１】本発明の実施形態に係るオイルパルス工具のオイルパルスユニット４とハンドル部の配置関係を説明するための図である。
【符号の説明】
【００６３】
１  オイルパルス工具      ２  電源コード      ３  モータ
３ａ  鉄芯      ３ｂ  （モータの）回転子      ３ｃ  コイル
４  オイルパルスユニット      ５  出力軸      ６  ハウジング
６ａ  （ハウジングの）胴体部      ６ｂ  （ハウジングの）ハンドル部
７  駆動回路基板      ７ａ  スイッチング素子      ８  トリガスイッチ
９  回路基板      ９ａ  モータ制御基板      ９ｃ  電源回路基板
１０ａ、１０ｂ、１０ｃ  ベアリング  
１１  （モータの）回転軸      １１ａ  細径部      
１１ｂ  軸径部      １１ｃ  太径部      １１ｄ  フランジ
１１ｅ  円環溝      １１ｆ  六角穴
１３  ネジボス      １４  スイッチ回路基板    
１５  ベアリングホルダ      １６  リブ
１７  冷却ファンユニット      １７ａ 吐出口      １７ｂ  ファンハウジング
１７ｃ  吸引口      １７ｄ  取付穴
２１  ライナ      ２２  リリーフバルブ      ２３  ライナプレート
２４  メインシャフト    ２５ａ、２５ｂ  ブレード      ２７、２８  Ｏリング
３１  空気取入口      ３２、４２  インナプレート
３２ａ、４２ａ  （インナプレートの）内周輪
３２ｂ、４２ｂ  （インナプレートの）外周輪
３２ｃ、４２ｃ  （インナプレートの）支柱    
３２ｄ、４２ｄ  （インナプレートの）通風口
３３  プレート    ３４  ネジ      ３５  トメワ      ３７  空気排出口
【図１】
2010120120.tif 000003
【図２】
2010120120.tif 000004
【図３】
2010120120.tif 000005
【図４】
2010120120.tif 000006
【図５】
2010120120.tif 000007
【図６】
2010120120.tif 000008
【図７】
2010120120.tif 000009
【図８】
2010120120.tif 000010
【図９】
2010120120.tif 000011
【図１０】
2010120120.tif 000012
【図１１】
2010120120.tif 000013